(57)【要約】      （修正有）【課題】背もたれ部の前面側及び背後側のいずれからもウェビングの高さ調節操作を行うことができるチャイルドシートを提供する。【解決手段】ウェビング２５の高さ調節を行うには、操作片５０，５０を指で接近方向に移動させる。操作片５０，５０の接近移動に伴ってロック片４７，４７同士も接近方向に移動し、各々の先端が係止孔７１から抜ける。そこで、操作片５０，５０をそのままの状態としてスライドブロック４０を上下方向に移動させ、窓孔３６から縦溝５９の表示を見て、又はマーク６１と表示７７とが合致した所望高さにて、操作片５０から指を離す。そうすると、操作片５０，５０はコイルバネ５６に押されて仕切壁４２，４２に当接するまで前進し、ロック片４７，４７も前進し、各々の先端が係止孔７１に差し込まれる。【選択図】図５
2005255149.tif 000002
【特許請求の範囲】
【請求項１】
腰掛け部及び背もたれ部を有したシート本体と、
ウェビング挿通孔を備え、該背もたれ部に上下動可能に設けられたスライド部材と、
該スライド部材を係止させる係止機構と、
該係止機構による係止を解除して該スライド部材の移動を許容するための操作片と、
を備えてなるチャイルドシートにおいて、
該操作片は、該背もたれ部の前面側及び背後側のいずれからも操作可能とされていることを特徴とするチャイルドシート。
【請求項２】
請求項１において、該操作片は、該背もたれ部の背後側に露見していると共に、前記スライド部材に設けられた操作片挿通用開口を通して前面側から操作可能とされていることを特徴とするチャイルドシート。
【請求項３】
請求項１において、前記スライド部材と、それに隣接している上下動不能な部材との少なくとも一方に、該スライド部材の上下位置を表示する表示を設けたことを特徴とするチャイルドシート。
【請求項４】
請求項１ないし３のいずれか１項において、前記係止機構は、前記スライド部材を上方移動自在とし、該スライド部材を上下移動を阻止するように係止を行うものであることを特徴とするチャイルドシート。
【請求項５】
チャイルドシートの背もたれ部に設置されるショルダーアジャスタであって、
ウェビングの挿通孔を有したスライド部材と、
該スライド部材を係止させる係止機構とを備えてなり、
該スライド部材の高さを示す表示を設けたことを特徴とするショルダーアジャスタ。
【発明の詳細な説明】
【技術分野】
【０００１】
本発明は、自動車等の座席に設置されるチャイルドシートに係り、特にチャイルドシートに座った子供に掛けられるウェビングの高さ調整手段を備えたチャイルドシートに関する。また、本発明は、このチャイルドシートに用いられるショルダーアジャスタに関する。
【背景技術】
【０００２】
チャイルドシートに座った子供は、該チャイルドシートに設けられたウェビングによってチャイルドシートに対し拘束される。
【０００３】
実開平２−８６３６号公報には、ウェビング挿通孔を有したスライド部材をチャイルドシートの背もたれ部に上下動可能に設け、このスライド部材を上下させることによりウェビングの高さ調節を可能としたチャイルドシートが記載されている。
【０００４】
第８図（ａ）は、同号のチャイルドシートを示す分解斜視図、同（ｂ）はそのシート本体を背後側から見た斜視図である。
【０００５】
このチャイルドシート１は、腰掛け部２と背もたれ部３とからなるシート本体４を備えており、成人用の車両用シートに対し成人用シートベルトで取付けられるように構成されている。
【０００６】
ウェビング（ショルダーベルト）５，５の先端側は胸当てパッド７に接続されている。該胸当てパッド７の先端のタング６がバックル８に装着可能とされている。該背もたれ部３上端側に上下方向に沿って左、右一対をなす長溝１０，１０を形成するとともに、これら長溝１０，１０に重なり合う位置に各肩掛けベルト５，５の挿通孔１１，１１を有するスライド部材１２を、該背もたれ部３上端側に上下位置調節自在に設けるようにしている。スライド部材１２に突設した突部１３，１３を前記長溝１０，１０に対し嵌込ませることで、スライド部材１２が上下方向に移動調整可能に構成され、かつスライド部材１２側の係合ピン１４，１４を背もたれ部３背面側に設けた複数個の係合孔１５，１５に対し所要の個所で係合固定することで組付け固定し得る構成となっている。
【０００７】
このような構成によれば、背もたれ部３上端側でスライド部材１２を上下方向に適宜移動させ、その高さ位置を調節することで、このスライド部材１２の挿通孔１１，１１および背もたれ部３側の長溝１０，１０を介して引出されてくるショルダーベルト５，５の高さを、該ベルトを取外すことなく上下方向において多段階にわたって調節することが可能で、これにより幼児の成長に合わせたベルト５，５の引出し高さ調節を行うことができる。
【特許文献１】実開平２−８６３６号公報
【発明の開示】
【発明が解決しようとする課題】
【０００８】
上記実開平２−８６３６号公報のチャイルドシートにあっては、ウェビングの高さ調節操作は、背もたれ部の背後側からしか行うことができない。そのため、チャイルドシートが自動車の座席に前向きに固定されているときには、ウェビングの高さ調節操作ができないか、又は著しく困難である。
【０００９】
本発明は、背もたれ部の前面側及び背後側のいずれからもウェビングの高さ調節操作を容易に行うことができるチャイルドシートを提供することを目的とする。
【００１０】
また、本発明は、このチャイルドシートに用いるのに好適なショルダーアジャスタを提供することを目的とする。
【課題を解決するための手段】
【００１１】
本発明（請求項１）のチャイルドシートは、腰掛け部及び背もたれ部を有したシート本体と、ウェビング挿通孔を備え、該背もたれ部に上下動可能に設けられたスライド部材と、該スライド部材を係止させる係止機構と、該係止機構による係止を解除して該スライド部材の移動を許容するための操作片と、を備えてなるチャイルドシートにおいて、該操作片は、該背もたれ部の前面側及び背後側のいずれからも操作可能とされていることを特徴とするものである。
【００１２】
請求項２のチャイルドシートは、請求項１において、該操作片は、該背もたれ部の背後側に露見していると共に、前記スライド部材に設けられた操作用開口を通して前面側から操作可能とされていることを特徴とするものである。
【００１３】
請求項３のチャイルドシートは、請求項１において、前記スライド部材と、それに隣接している上下動不能な部材との少なくとも一方に、該スライド部材の上下位置を表示する表示を設けたことを特徴とするものである。
【００１４】
請求項４のチャイルドシートは、請求項１ないし３のいずれか１項において、前記係止機構は、前記スライド部材を上方移動自在とし、該スライド部材を上下移動を阻止するように係止を行うものであることを特徴とするものである。
【００１５】
請求項５のショルダーアジャスタは、チャイルドシートの背もたれ部に設置されるショルダーアジャスタであって、ウェビングの挿通孔を有したスライド部材と、該スライド部材を係止させる係止機構とを備えてなり、該スライド部材の高さを示す表示を設けたことを特徴とするものである。
【発明の効果】
【００１６】
本発明のチャイルドシートは、スライド部材係止機構の操作片が背もたれ部の前面側及び背後側のいずれからも操作可能であるので、スライド部材の高さ調節操作を背もたれ部の前面側及び背後側のいずれからも行うことができる。このため、チャイルドシートが自動車の座席に前向きに設置されている場合であっても、ウェビングの高さ調節を容易に行うことができる。
【００１７】
請求項２のチャイルドシートにあっては、操作片の操作を背後側から容易に行うことができると共に、前面側からも、例えば指を操作用開口に差し込むようにして操作片を簡単に操作することができる。
【００１８】
請求項３のチャイルドシート及び請求項５のショルダーアジャスタによると、スライド部材の現状の高さを容易に視認することができる。なお、チャイルドシートの使用説明書に、子供の年齢に応じたスライド部材の設置高さの目安を記載しておくことにより、ユーザーにとってチャイルドシートの使用勝手が良好となる。
【００１９】
請求項４のチャイルドシートにあっては、スライド部材を上方に押すと、スライド部材はそのまま上方に移動して係止される。スライド部材を下方に移動させるときだけ、操作片を係止解除操作すればよく、スライド部材の高さ調整が容易である。
【発明を実施するための最良の形態】
【００２０】
以下、図面を参照して本発明についてさらに詳細に説明する。
【００２１】
第１図は実施の形態に係るチャイルドシートの背もたれ部に設置されるショルダーアジャスタの前面側からの斜視図、第２図はこのショルダーアジャスタの背後側からの斜視図、第３図はこのチャイルドシートの前面側からの斜視図、第４図はこのチャイルドシートの背後側からの斜視図、第５図はショルダーアジャスタの分解斜視図、第６図及び第７図はショルダーアジャスタの水平断面図であり、第６図はロック時、第７図はロック解除時を示している。
【００２２】
このチャイルドシート２０は、腰掛け部２２と背もたれ部２３とを有したシート本体２１と、この背もたれ部２３に設けられたショルダーアジャスタ２４と、ショルダーアジャスタ２４に挿通されたウェビング（ショルダーベルト）２５等を備えている。
【００２３】
このショルダーアジャスタ２４は、スライドプレート３０及びスライドブロック４０よりなる上下方向移動可能なスライド部材と、ガイドレール７０、固定フレーム８０及びスライドプレート押え部材９０よりなる案内体と、操作片５０を操作することによりガイドレール７０の孔７１にロック片を挿抜してスライド部材の該案内体に対する係止及び係止解除を行う係止機構等を備えてなる。
【００２４】
スライドプレート３０は、その前面が背もたれ部２３の前面と略面一状となるように配置される略平板状部材であり、その左右両サイドには上下方向にスリット３１，３１が延設されている。また、このスライドプレート３０の背面からは左側及び右側の後方凸部３２，３２が突設されており、各後方凸部３２にはウェビング（ショルダーベルト）２５が挿通されるウェビング挿通孔３３と、操作片５０を通り抜けさせるための切欠状の操作片挿通用開口３４とが設けられている。
【００２５】
スライドプレート３０の中央付近には、表示を見るための窓孔３６が設けられている。  スライドブロック４０は、前面が開放した横長の略直方体形の箱状体よりなるものである。このスライドブロック４０には、中央壁４１と、左右両端のエンド壁４３，４３と、これらの中間に位置する仕切壁４２，４２の５枚の縦壁が設けられている。これらの５枚の縦壁４３，４２，４１，４２，４３を貫通するようにしてシャフト４５が設置されている。
【００２６】
このシャフト４５は、中央壁４１の開口４１ａに挿通されると共に、Ｅリング４６によって中央壁４１に対し固定され、左右方向移動不能となっている。
【００２７】
左右のエンド壁４３，４３と仕切壁４２，４２には、シャフト４５が挿通された開口４３ａ，４２ａが設けられている。開口４３ａの内周とシャフト４５との間に、パイプよりなるロック片４７を挿通しうる間隙があいている。
【００２８】
このロック片４７は、上記の通り中空パイプよりなるものであり、シャフト４５に摺動自在に外嵌している。
【００２９】
このロック片４７の先端側はエンド壁４３の開口４３ａを通って外方に突出可能である。ロック片４７の後端側は、仕切壁４２の開口４２ａを通り、さらに操作片５０の開口５０ａ（第５図）に挿通されている。そして、該ロック片４７の後端側は、操作片５０を挟むように配置された１対のＥリング５１，５１によって操作片５０に固定されている。
【００３０】
この操作片５０は、ショルダーアジャスタ２４の背後方向に突出すると共に、開口３４を通って前方側にも突き出している。
【００３１】
シャフト４５の中央付近には、中央壁４１を挟んで両側にバネ保持筒５５が嵌挿配置されている。このバネ保持筒５５は、一端が閉じ他端が開放した有底筒状のものであり、該一端に設けられた開口５５ａにシャフト４５が挿通されている。各バネ保持筒５５内にコイルバネ５６の約半分（後半側）が収容されている。
【００３２】
このバネ保持筒に外嵌しうる可動筒５７がシャフト４５に嵌挿配置されている。この可動筒５７も有底筒状であり、その先端側の開口５７ａにシャフト４５が挿通されている。可動筒５７は、後端側から前記バネ保持筒５５に外嵌している。コイルバネ５６の前半側は、この可動筒５７内に収容されている。
【００３３】
これらの操作片５０、バネ保持筒５５、可動筒５７、コイルバネ５６は、スライドブロック４０の前記中央壁４１と仕切壁４２との間に配置されている。
【００３４】
スライドブロック４０には、後述の案内レール８８と係合する縦溝５９が設けられている。また、該スライドブロック４０には、ウェビング２５を挿通するためのスリット状開口部６０が設けられている。さらに、該スライドブロック４０には、チャイルドシート後面側に三角形のマーク６１が付されている。
【００３５】
ガイドレール７０は、このスライドブロック４０の上下動を案内するために、スライドブロック４０の左右両サイドに沿って上下方向に配置されている。
【００３６】
このガイドレール７０には、１対のリブ７２，７２が長手方向の側縁から突設されており、サイドブロック４０の左右両端が該リブ７２，７２間に摺動自在に嵌合されている。
【００３７】
ガイドレール７０には、上下方向に一定間隔をおいて複数の係止孔７１が設けられている。この係止孔７１にロック片４７の先端が挿入可能とされている。
【００３８】
また、ガイドレール７０のチャイルドシート後面側には、上下方向に一定間隔をおいて表示７７が設けられている。
【００３９】
各ガイドレール７０，７０は、固定フレーム８０の左右両側辺に沿って配置され、ネジ９３によって該固定フレーム８０に固定されている。この固定フレーム８０は、上フレーム８１、下フレーム８２及び左右の縦フレーム８３を有した方形枠状であり、縦フレーム８３にはネジ９３の挿通孔８３ａが設けられている。
【００４０】
上フレーム８１及び下フレーム８２には、該固定フレーム８０をチャイルドシートのシート本体に固定するボルト（図示略）の挿通孔８１ａ，８２ａが設けられている。
【００４１】
上フレーム８１及び下フレーム８２の中間部同士の間に縦長に案内レール８８が架設されている。この案内レール８８に前記スライドブロック４０の縦溝５９が係合している。この縦溝５９には、上下方向に一定の間隔をおいて高さ表示用の表示が設けられている。この表示は、スライドプレート３０の窓孔３６を通してショルダーアジャスタ２４の前面側から視認可能である。
【００４２】
スライドプレート３０は、ガイドレール７０及び固定フレーム８０に対し上下動自在に取り付けられる。この取り付けは、スライドプレート３０の両サイドのスリット３１にスライドプレート押え部材９０を摺動自在に嵌合させ、このスライドプレート押え部材９０をネジ９３によって固定フレーム８０及びガイドレール７０に固定することによって行われる。
【００４３】
スライドプレート押え部材９０には張出部９１が設けられており、この張出部９１と固定フレーム８０との間でスライドプレート３０が摺動自在に挟持される。
【００４４】
なお、スライドプレート押え部材９０には、ネジ９３の挿通孔９２が設けられている。このネジ９３は、該挿通孔９２と、固定フレーム８０の縦フレーム８３の挿通孔８３ａとを通ってガイドレール７０に螺じ込まれる。
【００４５】
このショルダーアジャスタ２４は、シート本体２１の背もたれ部２３にボルトによって固定される。このボルトは、固定フレーム８０の挿通孔８１ａ，８２ａに挿通される。ウェビング２５は、ウェビング挿通孔３３及び開口６０を通って配備される。
【００４６】
このショルダーアジャスタ２４においては、操作片５０はコイルバネ５６によって押されて仕切壁４２に押し付けられている。この操作片５０が後端に固着されたロック片４７は、その先端がスライドブロック４０のエンド壁４３から突出し、ガイドレール７０の係止孔７１に差し込まれている。これにより、スライドブロック４０は所定高さに固定停止している。
【００４７】
ウェビング２５の高さ調節を行うには、操作片５０，５０を指で接近方向に移動させる。操作片５０，５０の接近移動に伴ってロック片４７，４７同士も接近方向に移動し、各々の先端が係止孔７１から抜ける。そこで、操作片５０，５０をそのままの状態としてスライドブロック４０を上下方向に移動させ、窓孔３６から縦溝５９の表示を見て、又はマーク６１と表示７７とが合致した所望高さにて、操作片５０から指を離す。そうすると、操作片５０，５０はコイルバネ５６に押されて仕切壁４２，４２に当接するまで前進し、ロック片４７，４７も前進し、各々の先端が係止孔７１に差し込まれる。このようにしてウェビング２５の高さ調整を容易に行うことができる。
【００４８】
このショルダーアジャスタにあっては、操作片５０はスライドブロック４０からチャイルドシート後方側に突出するだけでなく、開口３４を通ってスライドプレート３０の前面側にも臨み出している。そのため、操作片５０はチャイルドシートの背後側からだけではなく前面側からも操作することができ、チャイルドシートの前面側及び背後側のいずれからもウェビングの高さ調節操作を容易に行うことができる。
【００４９】
また、前面側からは窓孔３６を通して高さ表示を見ることができ、後方側からはマーク６１及び表示７１を見ることができるので、ウェビングの現状高さを容易に認識することができる。
【００５０】
上記実施の形態では、ガイドレール７０の係止孔７１が丸孔よりなるため、スライドブロック４０を上方移動及び下方移動させる場合のいずれにあっても、操作片５０，５０を指で摘むようにして接近方向に移動させる必要がある。
【００５１】
これに対し、第９図に示すガイドレール７０Ａにあっては、最上段の係止孔７１を除き、丸孔の係止孔７１の代わりに上下方向断面が台形の係止孔７１Ａを設けている。ロック片４７は、操作片５０，５０を摘んでいない状態において、各々の先端が係止孔７１Ａ内に位置する。
【００５２】
この係止孔７１Ａは孔の天井面側が斜面７１ａとなっており、孔の底面側は水平面となっている。そのため、スライドブロック４０を上方に押すと、ロック片４７の先端は斜面７１ａに沿って摺動し、ロック片４７，４７同士が接近方向に退動し、スライドブロック４０が上方移動する。ロック片４７が上段側の係止孔７１Ａに達すると、コイルバネ５６の付勢力によりロック片４７，４７同士が離反する如く前進し、上側の係止孔７１Ａ内に入り込む。このようにスライドブロック４０を上方移動させるときには該スライドブロック４０を上方に押すだけでよく、ロック片４７，４７を摘む必要がなく、操作が簡単である。なお、スライドブロック４０を下方移動させるときには、前記実施の形態と同じくロック片４７，４７同士を摘むようにして接近させる。
【００５３】
上記実施の形態は本発明の一例であり、本発明は図示以外の形態をもとりうる。
【図面の簡単な説明】
【００５４】
【図１】実施の形態に係るチャイルドシートの背もたれ部に設置されるショルダーアジャスタの前面側からの斜視図である。
【図２】ショルダーアジャスタの背後側からの斜視図である。
【図３】チャイルドシートの前面側からの斜視図である。
【図４】チャイルドシートの背後側からの斜視図である。
【図５】第５図はショルダーアジャスタの分解斜視図である。
【図６】ショルダーアジャスタ（ロック時）の水平断面図である。
【図７】ショルダーアジャスタ（ロック解除時）の水平断面図である。
【図８】従来例を示す斜視図である。
【図９】別の実施の形態に用いられるガイドレールの断面図である。
【符号の説明】
【００５５】
２０  チャイルドシート
２１  シート本体
２４  ショルダーアジャスタ
２５  ウェビング
３０  スライドプレート
４０  スライドブロック
４７  ロック片
５０  操作片
５６  コイルバネ
６１  マーク
７０，７０Ａ  ガイドレール
７１，７１Ａ  係止孔
７７  表示
【図１】
2005255149.tif 000003
【図２】
2005255149.tif 000004
【図３】
2005255149.tif 000005
【図４】
2005255149.tif 000006
【図５】
2005255149.tif 000007
【図６】
2005255149.tif 000008
【図７】
2005255149.tif 000009
【図８】
2005255149.tif 000010
【図９】
2005255149.tif 000011